【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】  毛再生組成物であって、Ｔα１、Ｔβ４、またはそれらの組み合わせを、ステロイド、インドールベースの化合物、殺ダニ剤、バイオフラボノイド（ｂｉｏｆｌａｖａｎｏｉｄ）、抗真菌材料、および抗炎症性脂肪酸から選択される少なくとも１つの化合物と組み合わせて含有する、毛再生組成物。
【請求項２】  Ｔα１およびＴβ４の供給源としてチモシンフラクション５を含有する、請求項１に記載の組成物。
【請求項３】  前記ステロイドが、クエン酸タモキシフェン、プロゲステロン、プレグネノロン、スピロノラクトン、プレグネアオロン（ｐｒｅｇｎｅａｏｌｏｎｅ）、デヒドロエピアンドロステロン（ＤＨＥＡ）、ジオスゲニン、トリフェニルエチレンベースの化合物、またはテストラクトンである、請求項１に記載の組成物。
【請求項４】  前記インドールベースの化合物が、インドール、メラトニン、Ｎ−［２−（５−メトキシ−１Ｈ−インドール−３−イル）エチル］アセトアミド、スカトール、またはインドール−３−カルビノールである、請求項１に記載の組成物。
【請求項５】  前記殺ダニ剤が、界面活性剤、芳香剤、および皮膚浸透剤である、請求項１に記載の組成物。
【請求項６】  前記皮膚浸透剤が、ＰＸ−１３である、請求項５に記載の組成物。
【請求項７】  前記界面活性剤が、Ｇｅｍｔｅｋ界面活性剤である、請求項５に記載の組成物。
【請求項８】  前記芳香剤が、メントール、ベンジルアルコール、オイゲノール、フェノキシエタノール、パルミチン酸イソプロピル、ミリスチン酸イソプロピル、サリチル酸ベンジル、サリチル酸フェニルエチル、チモール、サリチル酸イソアミル、サリチル酸フェニルエチル、Ｔｒｉｔｏｎ  Ｘ−１００界面活性剤、安息香酸、安息香酸ベンジル、サリチル酸メチル、フェノール、オレイン酸、カプロン酸、またはカルバリルである、請求項５に記載の組成物。
【請求項９】  前記バイオフラボノイドが、ケルレチン（ｑｕｅｒｒｅｔｉｎ）メチルカルコンである、請求項１に記載の組成物。
【請求項１０】  前記抗真菌材料が、ウンデシレン酸、グリセオフルビン、テルビナフィン、またはアゾール化合物である、請求項１に記載の組成物。
【請求項１１】  前記アゾール化合物が、ケトコナゾールまたはフルコナゾールである、請求項１０に記載の組成物。
【請求項１２】  前記抗炎症性脂肪酸が、ＴＥＳトリオレートまたはＰＸ−１３である、請求項１に記載の組成物。
【請求項１３】  前記組成物が、Ｔα１、Ｔβ４、ステロイド、インドールベースの化合物、殺ダニ剤、バイオフラボノイド、抗真菌材料、および抗炎症性脂肪酸を含有する、請求項１に記載の組成物。
【請求項１４】  それらを必要とする患者の頭皮の脱毛を処置するための方法であって、以下の工程：頭皮を洗浄剤で洗浄する工程；該洗浄された頭皮をケラチン溶媒系で処置する工程；酸剥離溶液をケラチン処理された頭皮に塗布する工程；および毛再生組成物を該酸剥離された頭皮に塗布する工程、を包含し、ここで、該毛再生組成物は、Ｔα１、Ｔβ４、またはそれらの組み合わせを含有する、方法。
【請求項１５】  前記毛再生組成物がさらに、ステロイド、インドールベースの化合物、殺ダニ剤、バイオフラボノイド、抗真菌材料、または抗炎症性脂肪酸を含有する、請求項１４に記載の方法。
【請求項１６】  前記頭皮の洗浄工程が、洗浄シャンプーによって達成される、請求項１４に記載の方法。
【請求項１７】  前記洗浄シャンプーが、硬質表面エトキシル化クレンザーを含む、請求項１６に記載の方法。
【請求項１８】  前記硬質表面エトキシル化クレンザーが、Ｇｅｍｔｅｋ溶液である、請求項１７に記載の方法。
【請求項１９】  前記ケラチン溶媒系が、酢酸ベースの処方物または尿素ベースのゲル処方物である、請求項１４に記載の方法。
【請求項２０】  請求項１９に記載の方法であって、前記尿素ベースのゲル処方物が、以下：尿素、クエン酸、尿素過酸化物、プロピレングリコール、エトキシル化アルコール、またはアクリル酸コポリマーのうちの少なくとも１種を含有する、方法。
【請求項２１】  前記酸剥離溶液の塗布前に、局所麻酔薬を塗布する工程をさらに包含する、請求項１４に記載の方法。
【請求項２２】  前記局所麻酔薬が芳香剤を含むか、または前記局所麻酔薬が芳香剤である、請求項２１に記載の方法。
【請求項２３】  界面活性剤または可溶化組成物をさらに含有する、請求項２１に記載の方法。
【請求項２４】  前記酸剥離溶液が、少なくとも１種の生理学的な酸を含有する、請求項１４に記載の方法。
【請求項２５】  前記生理学的な酸が、クエン酸、アルコルビン酸、またはピルビン酸である、請求項２４に記載の方法。
【請求項２６】  前記酸剥離溶液を約１分間、前記頭皮に保持させる、請求項１４に記載の方法。
【請求項２７】  前記酸剥離溶液を約１時間、前記頭皮に保持させ、そして閉鎖キャップを該頭皮上に配置する、請求項１４に記載の方法。
【請求項２８】  前記酸剥離溶液を約８時間まで前記頭皮に保持させ、そして閉鎖キャップを該頭皮を覆う頭部に配置する、請求項１４に記載の方法。
【請求項２９】  前記毛再生組成物の塗布前に、過剰活性尿素ゲル処方物を塗布し、前記頭皮の表面上に存在する突起物（ｂｕｍｐ）を可溶化する工程をさらに包含する、請求項１４に記載の方法。
【請求項３０】  前記過剰活性尿素ゲル処方物が、以下：尿素、クエン酸、尿素過酸化物、２−フェノキシエタノール、プロピレングリコール、Ｇｅｍｔｅｋ  ＳＣ−１０００、またはエトキシジグリコールのうちの少なくとも１種を含有する、請求項２９に記載の方法。
【請求項３１】  前記ステロイドが、クエン酸タモキシフェン（ｔａｍｏｘｉｔｅｎ  ｃｉｔｒａｔｅ）、プロゲステロン、プレグネノロン、スピロノラクトン、プレグネアオロン、デヒドロエピアンドロステロン（ＤＨＥＡ）、ジオスゲニン、トリフェニルエチレンベースの化合物、またはテストラクトンである、請求項１５に記載の方法。
【請求項３２】  前記インドールベースの化合物が、メラトニン、Ｎ−［２−（５−メトキシ−１Ｈ−インドール−３−イル）エチル］アセトアミド、スカトール、およびインドール−３−カルビノールである、請求項１５に記載の方法。
【請求項３３】  前記抗炎症性脂肪酸が、ＴＥＳトリオレートまたはＰＸ−１３である、請求項１５に記載の方法。
【請求項３４】  前記殺ダニ剤が、界面活性剤、芳香剤、および皮膚浸透剤の溶液である、請求項１５に記載の方法。
【請求項３５】  前記皮膚浸透剤が、ＰＸ−１３である、請求項３４に記載の方法。
【請求項３６】  前記界面活性剤が、Ｇｅｍｔｅｋ界面活性剤である、請求項３４に記載の方法。
【請求項３７】  前記芳香剤が、メントール、ベンジルアルコール、オイゲノール、フェノキシエタノール、パルミチン酸イソプロピル、ミリスチン酸イソプロピル、サリチル酸ベンジル、サリチル酸フェニルエチル、チモール、サリチル酸イソアミル、サリチル酸フェニルエチル、Ｔｒｉｔｏｎ  Ｘ−１００界面活性剤、安息香酸、安息香酸ベンジル、サリチル酸メチル、フェノール、オレイン酸、カプロン酸、またはカルバリルである、請求項３４に記載の方法。
【請求項３８】  前記バイオフラボノイドが、ケルレチン（ｑｕｅｒｒｅｔｉｎ）メチルカルコンである、請求項１５に記載の方法。
【請求項３９】  前記抗真菌材料が、ウンデシレン酸、グリセオフルビン、テルビナフィン、またはアゾール化合物である、請求項１５に記載の方法。
【請求項４０】  前記アゾール化合物が、ケトコナゾールまたはフルコナゾールである、請求項３９に記載の方法。
【請求項４１】  頭皮毛刺激量または頭皮毛再生量のＴＢ４を局所処方物中に含有する、頭皮毛成長を刺激または再生するための組成物。
【請求項４２】  前記ＴＢ４が、約０．０５〜０．１重量％の量で、前記処方物中に存在する、請求項４１に記載の組成物。
【請求項４３】  前記処方物が、頭皮浸透増強剤をさらに含有する、請求項４１に記載の組成物。
【請求項４４】  前記頭皮浸透増強剤が、界面活性剤を含む、請求項４３に記載の組成物。
【請求項４５】  頭皮毛刺激量または頭皮毛再生量のＴＢ４を局所処方物中に含有する組成物を頭皮に塗布する工程を包含する、頭皮毛成長を刺激または再生するための方法。
【請求項４６】  前記ＴＢ４が、約０．０５〜０．１重量％の量で前記局所処方物中に存在する、請求項４５に記載の方法。
【請求項４７】  前記局所処方物が、頭皮浸透増強剤をさらに含有する、請求項４５に記載の方法。
【請求項４８】  前記頭皮浸透増強剤が、界面活性剤を含む、請求項４７に記載の方法。